(57)【要約】【課題】棚上の商品を電気ヒータにて加熱しながら陳列するショーケースにおいて、棚上の端部に陳列された商品の温度が異常に高くなる不都合を解消する。【解決手段】ショーケースは、陳列室内に商品陳列用の棚２を架設すると共に、この棚には当該棚上の商品を加熱するための電気ヒータを交熱的に取り付けて成る。棚の温度を検出する温度センサが検出する温度に基づき、所定の棚下限温度と棚上限温度の間で電気ヒータの通電をＯＮ−ＯＦＦ制御する制御装置を備える。電気ヒータは、棚の端部に略対応して設けられた第１のヒータ２４と、棚の中央部に略対応して設けられた第２のヒータ２９とから成る。制御装置は、第１及び第２のヒータを独立して通電制御すると共に、第１のヒータが所定時間連続して通電された場合は、その後当該第１のヒータへの通電量を削減する。【選択図】      図２
2004215704.tif 000002
【特許請求の範囲】
【請求項１】
前面に開口する本体内に陳列室を構成し、該陳列室内に商品陳列用の棚を架設すると共に、該棚には当該棚上の商品を加熱するための電気ヒータを取り付けて成るショーケースにおいて、
前記棚の温度を検出する温度センサと、該温度センサが検出する温度に基づき、所定の棚下限温度と棚上限温度の間で前記電気ヒータの通電をＯＮ−ＯＦＦ制御する制御装置とを備え、
前記電気ヒータは、前記棚の端部に略対応して設けられた第１のヒータと、前記棚の中央部に略対応して設けられた第２のヒータとから構成され、前記制御装置は、前記第１及び第２のヒータを独立して通電制御すると共に、前記第１のヒータが所定時間連続して通電された場合は、その後当該第１のヒータへの通電量を削減することを特徴とするショーケース。
【請求項２】
前面に開口する本体内に陳列室を構成し、該陳列室内に商品陳列用の棚を架設すると共に、該棚には当該棚上の商品を加熱するための電気ヒータを取り付けて成るショーケースにおいて、
前記棚の温度を検出する温度センサと、該温度センサが検出する温度に基づき、所定の棚下限温度と棚上限温度の間で前記電気ヒータの通電をＯＮ−ＯＦＦ制御する制御装置とを備え、
前記電気ヒータは、前記棚の端部に略対応して設けられた第１のヒータと、前記棚の中央部に略対応して設けられた第２のヒータとから構成され、前記制御装置は、前記第１及び第２のヒータを独立して通電制御すると共に、前回前記第１のヒータの通電が停止された時点の前記温度センサが検出する温度と当該温度センサが検出する現在の温度との差が所定値より大きくなった場合は、その後当該第１のヒータへの通電量を削減することを特徴とするショーケース。
【請求項３】
前記制御装置は、前記温度センサが検出する温度が前記棚上限温度まで上昇した場合、前記第１のヒータの通電量削減制御を停止することを特徴とする請求項１又は請求項２のショーケース。
【発明の詳細な説明】
【０００１】
【発明の属する技術分野】
本発明は、陳列室内に架設した棚上に缶飲料やペットボトル入り飲料等の商品を陳列し、これら商品を電気ヒータにて加熱して成るショーケースに関するものである。
【０００２】
【従来の技術】
従来よりスーパーマーケットやコンビニエンスストア等の店舗には、ショーケースが設置されている。このショーケースは、本体内に商品の陳列棚を備え、この陳列棚にはコードヒータ（電気ヒータ）が取り付けられている。そして、棚上には缶コーヒー等の商品を載置し、電気ヒータにて加熱する構造とされていた（例えば、特許文献１参照）。
【０００３】
【特許文献１】
特開平６−１６５７２１号
【０００４】
【発明が解決しようとする課題】
ここで、棚上の商品は購買者によりどうしても中央のものから（売れ筋商品が置かれる）取り出されていく。そのため、棚端部に商品が残存した状態で新たな商品（温度の低い商品）が棚上の中央部に補充されるかたちとなるが、電気ヒータはこの温度の低い商品の温度を上げるために通常連続通電されることになる。
そのため、既に温まっている棚端部の商品の温度が異常に高くなってしまう問題があった。
【０００５】
本発明は、係る従来の技術的課題を解決するために成されたものであり、棚上の商品を電気ヒータにて加熱しながら陳列するショーケースにおいて、棚上の端部に陳列された商品の温度が異常に高くなる不都合を解消することを目的とする。
【０００６】
【課題を解決するための手段】
請求項１の発明のショーケースは、前面に開口する本体内に陳列室を構成し、この陳列室内に商品陳列用の棚を架設すると共に、この棚には当該棚上の商品を加熱するための電気ヒータを取り付けて成るものであって、棚の温度を検出する温度センサと、この温度センサが検出する温度に基づき、所定の棚下限温度と棚上限温度の間で電気ヒータの通電をＯＮ−ＯＦＦ制御する制御装置とを備え、電気ヒータは、棚の端部に略対応して設けられた第１のヒータと、棚の中央部に略対応して設けられた第２のヒータとから構成され、制御装置は、第１及び第２のヒータを独立して通電制御すると共に、第１のヒータが所定時間連続して通電された場合は、その後当該第１のヒータへの通電量を削減することを特徴とする。
【０００７】
請求項１の発明によれば、前面に開口する本体内に陳列室を構成し、この陳列室内に商品陳列用の棚を架設すると共に、この棚には当該棚上の商品を加熱するための電気ヒータを取り付けて成るショーケースにおいて、棚の温度を検出する温度センサと、この温度センサが検出する温度に基づき、所定の棚下限温度と棚上限温度の間で電気ヒータの通電をＯＮ−ＯＦＦ制御する制御装置とを備え、電気ヒータは、棚の端部に略対応して設けられた第１のヒータと、棚の中央部に略対応して設けられた第２のヒータとから構成され、制御装置は、第１及び第２のヒータを独立して通電制御すると共に、第１のヒータが所定時間連続して通電された場合は、その後当該第１のヒータへの通電量を削減するので、棚上の中央部に商品が補充され、電気ヒータが連続して通電されるような状況においては、棚の端部に略対応して設けられた第１のヒータが所定時間連続して通電された時点で、その後当該第１のヒータへの通電量が削減されるようになる。
【０００８】
これにより、棚上の端部に陳列された商品の加熱量が削減され、当該商品の温度が異常に高くなってしまう不都合を未然に回避することができるようになるものである。
【０００９】
請求項２の発明のショーケースは、前面に開口する本体内に陳列室を構成し、この陳列室内に商品陳列用の棚を架設すると共に、この棚には当該棚上の商品を加熱するための電気ヒータを取り付けて成るものであって、棚の温度を検出する温度センサと、この温度センサが検出する温度に基づき、所定の棚下限温度と棚上限温度の間で電気ヒータの通電をＯＮ−ＯＦＦ制御する制御装置とを備え、電気ヒータは、棚の端部に略対応して設けられた第１のヒータと、棚の中央部に略対応して設けられた第２のヒータとから構成され、制御装置は、第１及び第２のヒータを独立して通電制御すると共に、前回第１のヒータの通電が停止された時点の温度センサが検出する温度と当該温度センサが検出する現在の温度との差が所定値より大きくなった場合は、その後当該第１のヒータへの通電量を削減することを特徴とする。
【００１０】
請求項２の発明によれば、前面に開口する本体内に陳列室を構成し、この陳列室内に商品陳列用の棚を架設すると共に、この棚には当該棚上の商品を加熱するための電気ヒータを取り付けて成るショーケースにおいて、棚の温度を検出する温度センサと、この温度センサが検出する温度に基づき、所定の棚下限温度と棚上限温度の間で電気ヒータの通電をＯＮ−ＯＦＦ制御する制御装置とを備え、電気ヒータは、棚の端部に略対応して設けられた第１のヒータと、棚の中央部に略対応して設けられた第２のヒータとから構成され、制御装置は、第１及び第２のヒータを独立して通電制御すると共に、前回第１のヒータの通電が停止された時点の温度センサが検出する温度と当該温度センサが検出する現在の温度との差が所定値より大きくなった場合は、その後当該第１のヒータへの通電量を削減するので、棚上の中央部に商品が補充され、電気ヒータが連続して通電されるような状況においては、温度センサが検出する温度が前回第１のヒータの通電が停止された時点より拡大し、所定値より大きくなった時点で棚の端部に略対応して設けられた第１のヒータへの通電量が削減されるようになる。
【００１１】
これにより、棚上の端部に陳列された商品の加熱量が削減され、当該商品の温度が異常に高くなってしまう不都合を未然に回避することができるようになるものである。
【００１２】
請求項３の発明のショーケースは、上記各発明において制御装置は、温度センサが検出する温度が棚上限温度まで上昇した場合、第１のヒータの通電量削減制御を停止することを特徴とする。
【００１３】
請求項３の発明によれば、上記各発明に加えて制御装置は、温度センサが検出する温度が棚上限温度まで上昇した場合、第１のヒータの通電量削減制御を停止するので、新たなに補充された商品の昇温が終了した時点で第１のヒータの制御も支障無く通常に戻るものである。
【００１４】
【発明の実施の形態】
以下、図面に基づき本発明の実施形態を詳述する。図１は本発明を適用する実施例のショーケース１の縦断側面図、図２はショーケース１の棚２の平面図をそれぞれ示している。
【００１５】
図１において、ショーケース１は例えばコンビニエンスストアの店舗内に設置される冷・温切替式のオープンショーケースであり、断面略コ字状の断熱壁３とその両側に取り付けられた側板４とから前面に開口する本体６が構成されている。
【００１６】
断熱壁３の内側には間隔を存して仕切壁７が取り付けられ、これら仕切壁７と断熱壁３間にダクト８が構成され、仕切壁７の内側に前面に開口した陳列室９が構成されている。陳列室９（本体６）の前面開口の上下縁には吐出口１１と吸込口１２が構成されてダクト８に連通しており、ダクト８内には図示しない冷却装置の冷却器１３と送風機１４とが配設されている。
【００１７】
一方、陳列室９内には上下複数段の商品陳列用の棚２・・・（実施例では６段）が架設され、各棚２上には缶飲料やペットボトル入り飲料等の商品Ｇが載置され、陳列される。各棚２・・・は前側が低く傾斜して架設されており、これにより、最も手前の商品Ｇが取り出されると、その列の後方の商品Ｇが順次前方に移動する構成とされている。また、各棚２・・・は棚段数や棚間隔を変更するため、ブラケット１６と図示しない支柱との係合により着脱自在の構成とされている。更に、棚２・・・はそれぞれ前方に引出可能なスライド構造とされ、図１の如く陳列室９内に保持された状態と、商品補充時に前面開口から手前側に引き出された状態とに保持可能とされている。
【００１８】
次に、図２及び図５、図６を用いて各棚２・・の構造を説明する。棚２は熱良導性のアルミニウムなどの金属板にて構成され、上面が商品Ｇの載置面となる棚板４１と、この棚板４１の下側に間隔を存して取り付けられる裏板４２と、両板４１、４２間に装填された成形断熱材４３などから構成されている。
【００１９】
この場合、棚板４１の裏面（下面）左右両側部には、アルミニウムなどの熱良導性金属板から構成された板材４４、４４が交熱的に密着して貼り付けられている（図６）。各板材４４、４４は棚板４１の左右の前隅部からそれぞれ後部まで渡る略全幅の範囲に対応しており、これにより、板材４４の部分の棚２の棚板４１の厚さ寸法は、板材４１の分だけ厚くなっている。
【００２０】
更に、各棚２の棚板４１の裏面（下面）には商品Ｇを加熱するための電気ヒータ２１、２２、２３、２６、２７、２８が交熱的に取り付けられている。このうち、電気ヒータ２１、２２、２３は棚２（棚板４１）の前部及び左右両側部（両側部は板材４４の裏面に取り付けられることになる）の略全幅と、後部の左右、即ち、略棚板４１（棚２）の端部に対応して略均等に取り付けられ、電気ヒータ２６、２７、２８は棚２（棚板４１）の後部中央から中央部に渡る位置、即ち、略棚板４１（棚２）の中央部に対応して略均等に取り付けられている。これら３本の電気ヒータ２１〜２３によって第１のヒータとしての第１のヒータ２４が構成され、電気ヒータ２６〜２８によって第２のヒータとしての第２のヒータ２９が構成される。
【００２１】
また、第１のヒータ２４を構成する３本の電気ヒータ２１〜２３は全て同一の容量とされ、第２のヒータ２９を構成する３本の電気ヒータ２６〜２８も全て同一容量とされている。そして、このとき各板材４４、４４は第１のヒータ２４の両側部分に対応すると共に、第２のヒータ２９の一部にも対応している（図２）。
【００２２】
また、各棚２・・の棚板４１の左右方向の中央の前側裏面には第１の温度センサ３１が交熱的にそれぞれ取り付けられており、その後側裏面には第２の温度センサ３２が交熱的にそれぞれ取り付けられている（図５）。この場合、第１のヒータ２４における棚板４１の左右方向の中央前部に対応する部分（図２に２４Ａで示す）は、前側に片寄って配置されている。これにより、第１の温度センサ３１を棚板４１の前側にできるだけ寄せて取り付けても、第１のヒータ２４との間に充分な間隔を確保できるようになる。
【００２３】
そして、前記電気ヒータ２１〜２３、２６〜２８や温度センサ３１、３２の配線は棚２より後方に引き出され、ソケットを介して仕切壁７に設けられた図示しないコンセントに着脱自在に接続されることになる。また、これらの配線は前述の如く棚２が引き出された場合にも支障ないように余裕を持って引き回されている。
【００２４】
次に、図３は係る第１のヒータ２４及び第２のヒータ２９を構成する電気ヒータ２１〜２３、２６〜２８の電気回路を示している。これらヒータの給電には三相２００Ｖ電源ＡＣが使用される。即ち、この電源ＡＣのＲ、Ｓ、Ｔ各相間の電圧は交流２００Ｖである。そして、各棚２の前記第１のヒータ２４の電気ヒータ２１は電源ＡＣのＲ相に、電気ヒータ２２はＳ相に、電気ヒータ２３はＴ相にそれぞれ接続され、前記第２のヒータ２９の電気ヒータ２６は電源ＡＣのＲ相に、電気ヒータ２７はＳ相に、電気ヒータ２８はＴ相にそれぞれ接続される。
【００２５】
また、第１のヒータ２４の各電気ヒータ２１〜２３と電源ＡＣ間には３連のリレー接点Ｒ１が接続され、第２のヒータ２９の各電気ヒータ２６〜２８と電源ＡＣ間には３連のリレー接点Ｒ２が接続されている。また、各電気ヒータ２１〜２３、２６〜２８の給電線にはそれぞれカレントトランスＣＴが設けられている。尚、図３は一枚の棚２の回路を示しており、同様の回路が各棚２・・についてそれぞれ構成されているものとする。
【００２６】
次に、図４はショーケース１の制御装置Ｃの電気回路のブロック図を示している。制御装置Ｃは汎用のマイクロコンピュータ３４により構成されており、マイクロコンピュータ３４の出力には前記各棚２・・・の電気ヒータ２１〜２３、２６〜２８のリレーＲ１、Ｒ２のコイルＲ１Ｃ、Ｒ２Ｃが接続されている。係る構成により第１のヒータ２４の電気ヒータ２１〜２３と第２のヒータ２９の電気ヒータ２６〜２８は独立制御可能となる。また、マイクロコンピュータ３４の出力にはＬＥＤ等から構成される表示回路３６が接続されると共に、更に図示しない前記冷却装置の制御出力も行われる。
【００２７】
マイクロコンピュータ３４の入力には各棚２・・・が引き出され、再度陳列室９内に押し込まれたことを検出するための棚スイッチ２Ｄ・・・が接続されており、更に、前記カレントトランスＣＴ・・・の出力も接続されている。また、マイクロコンピュータ３４にはセンサ・スイッチ回路３７を介して各種操作スイッチや前記各棚２・・・の温度センサ３１、３２、吐出口１１からの吐出冷気温度を検出する図示しない温度センサや冷却器１３の温度を検出する温度センサなどの出力が入力される。
【００２８】
以上の構成で次に動作を説明する。実施例のショーケース１は冷蔵モードと温蔵モードとに切替使用可能であり、そのモード切換はセンサ・スイッチ回路３７の切替操作スイッチにて行われる。
【００２９】
（１）冷蔵モード
そして、冷蔵モードではマイクロコンピュータ３４は各電気ヒータ２１〜２３、２６〜２８への通電を禁止し、前記吐出口１１の温度を検出する温度センサの出力に基づいて前記冷却装置を運転制御する。
【００３０】
冷却装置が運転されると冷却器１３が冷却作用を発揮する。この冷却器１３と熱交換した冷気は送風機１４によりダクト８内を吹き上げられ、吐出口１１から陳列室９の開口に向けて吐出され、吸込口１２からダクト８内に吸引される。これにより、陳列室９の前面開口には冷気エアーカーテンが構成されると共に、冷気の一部は陳列室９内にも循環して貯蔵室９内を所定の冷蔵温度に冷却する。
【００３１】
（２）温蔵モード
一方、温蔵モードとされた場合の制御を図７のタイミングチャートを参照しながら説明すると、マイクロコンピュータ３４は前記冷却装置（冷却器１３、送風機１４を含む）の運転を禁止し、温度センサ３１、３２の出力に基づいてリレーＲ１、Ｒ２により各棚２・・の前記第１のヒータ２４及び第２のヒータ２９の各電気ヒータ２１〜２３、２６〜２８の通電を制御する。尚、以下の制御は各棚２・・・についてそれぞれ独立して行われるものとし、以下の説明では一枚の棚２について説明する。
【００３２】
今、棚２の棚板４１上には例えばペットボトル入り飲料（お茶など）である商品Ｇが左右及び前後に渡って複数列載置され、満載されているものとする。また、全ての棚２は陳列室９内に押し込まれており、全棚スイッチ２Ｄ・・がこれを検出しているものとする。更に、マイクロコンピュータ３４は温度センサ３１が検出する棚板４１の前部中央の温度に基づいてリレーコイルＲ１Ｃを通電制御し、リレーＲ１により第１のヒータ２４の電気ヒータ２１〜２３を通電制御する。
また、温度センサ３２が検出する棚板４１の中央部の温度に基づいてリレーコイルＲ２Ｃを通電制御し、リレーＲ２により第２のヒータ２９の電気ヒータ２６〜２８を通電制御する。
【００３３】
そして、今棚２（棚板４１）の設定温度（棚設定値）が＋７０℃に設定されているものとすると、各ヒータ２４、２９の通電が開始されて温度センサ３２が検出する温度が例えば棚設定値＋２℃の棚上限温度に達するとリレーＲ２を開いて第２のヒータ２９の電気ヒータ２６〜２８の通電を停止（ＯＦＦ）し、温度センサ３２が検出する温度が例えば棚設定値−２℃の棚下限温度まで降下したらリレーＲ２を閉じて第２のヒータ２９に通電（ＯＮ）する加温制御を実行する。また、温度センサ３１が検出する温度が上記棚上限温度に達するとリレーＲ１を開いて第１のヒータ２４の電気ヒータ２１〜２３の通電を停止（ＯＦＦ）し、温度センサ３１が検出する温度が上記棚下限温度まで降下したらリレーＲ１を閉じて第１のヒータ２４に通電（ＯＮ）する加温制御を実行する。
【００３４】
これにより、棚２の棚板４１上の商品Ｇは平均＋５８℃程の飲み頃温度に加温される。図７には棚２の棚板４１の表面温度と、温度センサ３１が検出する温度（温度センサ３２も略同様）と、棚２（棚板４１）の両端の商品Ｇの温度と棚２（棚板４１）の中央部（追加）の商品Ｇの温度が示されている。尚、マイクロコンピュータ３４には上記棚設定値を各温度センサ３２、３１毎に独立して設定可能であるが、実施例では同一として説明する。
【００３５】
ここで、商品販売時には通常売れ筋の商品が棚２の棚板４１中央部に陳列され、販売が少ない商品は左右の脇の位置に陳列される。従って、商品Ｇが購買者により手前側から取り出されていくと、順次手前に移動することで棚板４１上の商品は中央後部から無くなっていき、棚板４１上の既に暖かい両端部の商品Ｇは前後に渡って残存する状況となる。
【００３６】
そして、比較的温度の低い新たな商品Ｇが棚２の棚板４１上に補充されると、温度センサ３１及び３２が検出する温度及び棚板４１の表面温度は急速に低下し前記棚下限温度よりも著しく低くなるので、マイクロコンピュータ３４はリレーＲ１とＲ２を閉じて第１のヒータ２４と第２のヒータ２９の通電を開始する。これにより、棚板４１上の商品Ｇも加温されていく。
【００３７】
このとき、温度センサ３１、３２が検出する温度も徐々に上昇していくものの、新たな商品Ｇの補充によって温度は低下しているので、棚上限温度まで上昇するには時間を要し、結果として両ヒータ２４、２９は連続通電されるかたちとなる。
【００３８】
係る第１及び第２のヒータ２４、２９による加熱によって新たに補充された棚板４１上の中央部の商品Ｇの温度は低い値から上昇して行くが、既に温まっている棚板４１上の両端部の商品Ｇの温度は、適温から更に上昇して行くことになり、そのままでは異常に高い温度まで加温されてしまう。
【００３９】
そこで、マイクロコンピュータ３４は係る商品Ｇの補充後、棚２の端部に略対応している第１のヒータ２４が例えば１時間連続して通電された場合、その後当該第１のヒータ２４への通電をデューティー制御する。このデューティー制御で、マイクロコンピュータ３４はリレーＲ１を制御し、１０分第１のヒータ２４に通電したら１分非通電とする。これにより、第１のヒータ２４の通電量は１０／１１に削減されることになり、棚板４１上の両端部の商品Ｇの温度上昇は緩慢となるので、係る端部の商品Ｇの温度だけが異常高温となる不都合が解消若しくは抑制される。
【００４０】
尚、係るデューティー制御中もマイクロコンピュータ３４は第２のヒータ２９を連続通電する。そして、その後補充商品Ｇの温度も上昇し、温度センサ３１及び３２が検出する温度が前記棚上限温度に達した時点で、マイクロコンピュータ３４は第１及び第２のヒータ２４、２９への通電を断ち、係るデューティー制御も終了して以後は通常の加温制御に復帰する。
【００４１】
ここで、上記実施例では第１のヒータ２４が連続して１時間通電された場合にデューティー制御を行うようにしたが、それに限らず、新たな商品Ｇが補充されたことにより、温度センサ３１が検出する温度が低下しことでデューティー制御を実行してよい。その場合には、前回第１のヒータ２４の通電が停止（ＯＦＦ）された時点の温度センサ３１が検出する温度Ｔ１をマイクロコンピュータ３４が記憶しておき、新たな商品Ｇの補充にて温度センサ３１が検出する温度Ｔ２が低下して、Ｔ１−Ｔ２が例えば１５ｄｅｇより大きくなった場合、第１のヒータ２４の通電量を削減する。
【００４２】
係る制御によっても、棚板４１上の両端部の商品Ｇの異常温度上昇を解消若しくは抑制することが可能となる。そして、その場合にも温度センサ３１が検出する温度が棚上限温度に上昇した時点でデューティー制御を終了するものとする。
【００４３】
【発明の効果】
以上詳述した如く請求項１の発明によれば、前面に開口する本体内に陳列室を構成し、この陳列室内に商品陳列用の棚を架設すると共に、この棚には当該棚上の商品を加熱するための電気ヒータを取り付けて成るショーケースにおいて、棚の温度を検出する温度センサと、この温度センサが検出する温度に基づき、所定の棚下限温度と棚上限温度の間で電気ヒータの通電をＯＮ−ＯＦＦ制御する制御装置とを備え、電気ヒータは、棚の端部に略対応して設けられた第１のヒータと、棚の中央部に略対応して設けられた第２のヒータとから構成され、制御装置は、第１及び第２のヒータを独立して通電制御すると共に、第１のヒータが所定時間連続して通電された場合は、その後当該第１のヒータへの通電量を削減するので、棚上の中央部に商品が補充され、電気ヒータが連続して通電されるような状況においては、棚の端部に略対応して設けられた第１のヒータが所定時間連続して通電された時点で、その後当該第１のヒータへの通電量が削減されるようになる。
【００４４】
これにより、棚上の端部に陳列された商品の加熱量が削減され、当該商品の温度が異常に高くなってしまう不都合を未然に回避することができるようになるものである。
【００４５】
また、請求項２の発明によれば、前面に開口する本体内に陳列室を構成し、この陳列室内に商品陳列用の棚を架設すると共に、この棚には当該棚上の商品を加熱するための電気ヒータを取り付けて成るショーケースにおいて、棚の温度を検出する温度センサと、この温度センサが検出する温度に基づき、所定の棚下限温度と棚上限温度の間で電気ヒータの通電をＯＮ−ＯＦＦ制御する制御装置とを備え、電気ヒータは、棚の端部に略対応して設けられた第１のヒータと、棚の中央部に略対応して設けられた第２のヒータとから構成され、制御装置は、第１及び第２のヒータを独立して通電制御すると共に、前回第１のヒータの通電が停止された時点の温度センサが検出する温度と当該温度センサが検出する現在の温度との差が所定値より大きくなった場合は、その後当該第１のヒータへの通電量を削減するので、棚上の中央部に商品が補充され、電気ヒータが連続して通電されるような状況においては、温度センサが検出する温度が前回第１のヒータの通電が停止された時点より拡大し、所定値より大きくなった時点で棚の端部に略対応して設けられた第１のヒータへの通電量が削減されるようになる。
【００４６】
これにより、棚上の端部に陳列された商品の加熱量が削減され、当該商品の温度が異常に高くなってしまう不都合を未然に回避することができるようになるものである。
【００４７】
請求項３の発明によれば、上記各発明に加えて制御装置は、温度センサが検出する温度が棚上限温度まで上昇した場合、第１のヒータの通電量削減制御を停止するので、新たなに補充された商品の昇温が終了した時点で第１のヒータの制御も支障無く通常に戻るものである。
【図面の簡単な説明】
【図１】本発明の実施例のショーケースの縦断側面図である。
【図２】図１のショーケースの棚の平面図である。
【図３】図１のショーケースの一枚の棚の電気ヒータの電気回路図である。
【図４】図１のショーケースの制御装置の電気回路のブロック図である。
【図５】図１のショーケースの棚の縦断側面図である。
【図６】図１のショーケースの棚のもう一つの縦断側面図である。
【図７】図４の制御装置による電気ヒータの制御を説明するタイミングチャートである。
【符号の説明】
１  ショーケース
２  棚
３  断熱壁
９  陳列室
２１〜２３、２６〜２８  電気ヒータ
２４  第１のヒータ
２９  第２のヒータ
３１、３２  温度センサ
３４  マイクロコンピュータ
Ｃ  制御装置
【図１】
2004215704.tif 000003
【図２】
2004215704.tif 000004
【図３】
2004215704.tif 000005
【図４】
2004215704.tif 000006
【図５】
2004215704.tif 000007
【図６】
2004215704.tif 000008
【図７】
2004215704.tif 000009